(57)【要約】      （修正有）【課題】タンクの容量にあわせて、それ以上の灯油がホームタンクから出てこないように、計量された灯油が出ると、確実に出るのを停止させる灯油計量装置を提供する。【解決手段】灯油を備蓄するホームタンクからポリタンクなどに灯油を移し替える灯油計量装置において、仕切られた空間を計量器とし、そこから決められた量の灯油が出ると自動的に灯油の出るのを停止する装置を設ける。【選択図】  図１
2006103770.tif 000002
【特許請求の範囲】
【請求項１】
空間を仕切、その仕切られた空間に灯油を入れ、そこから他の容器に灯油を移し替えるようにした装置において、前記仕切られた空間を計量器としたことを特徴とする灯油計量装置。
【請求項２】
空間を仕切、その仕切られた空間に灯油を入れ、そこから他の容器に灯油を移し替えるようにした装置において、前記仕切られた空間から灯油が決められた量出ると、灯油の出るのを停止する装置を設け、前記仕切られた空間を計量器としたことを特徴とする、灯油計量装置。
【発明の詳細な説明】
【技術分野】
【０００１】
灯油を備蓄するホームタンクからポリタンクなどに灯油を移し替える装置に関する。
【背景技術】
【０００２】
各家庭にある灯油のホームタンクからポリタンクなどに移し替える場合、ホームタンクのバルブを開けて、ポリタンクなどに灯油を入れると、ポリタンクが満タンになっても、灯油のポリタンクへの注入が止まらず、大型の大きいものでは数百リッター入る灯油タンクが各家庭にあるが、ここからポリタンクに移し替えようとして、あやまってタンク全部の灯油を漏らし失ってしまうこともあり、これは大きいタンクの灯油が全部出尽くすまで、止まらぬようになっている。これを防止するため、防油提というものが商品化されているが、高価であり、防油提に漏れた灯油をタンクに戻す必要がある。
【発明の開示】
【発明が解決しようとする課題】
【０００３】
灯油を家庭でためておくホームタンクで、ここからポリタンクなどに移し替えようとし、大きな灯油のホームタンクからポリタンクに注ぎ口を入れ、バルブを開け、満タンになるのに少し時間がかかるため、他のことに気を取られてポリタンクに灯油を移し替えているのを忘れ、ポリタンクがあふれ、大きな灯油タンクが空になるまで気が付かなかったということが起きており、大きな灯油タンクは数百リットル入り、これだけの量の灯油が漏れ、もしも火がついたら大変な火事となり、火事とならずとも、漏れだした灯油は周りに害を及ぼし、非常に危険である。
【課題を解決するための手段】
【０００４】
ポリタンクなどの移し替えるタンクの容量にあわせて、それ以上の灯油がホームタンクから出てこないように、計量器を設け、計量された灯油が出ると、確実に出るのを停止させる。
【発明の効果】
【０００５】
灯油をホームタンクからポリタンクなどに、確実に決められた量が出ると停止するため、漏れることの危険を防ぎ、漏れて失うこともなくなる。
【発明を実施するための最良の形態】
【０００６】
容器に目盛をつけ、その目盛に合わせれば、その容量の灯油がホームタンクからポリタンクなどに注入し、それ以上はでないように、自動停止する装置を設ける。
【実施例】
【０００７】
本発明の実施例を、図、符号と共に説明する。図１は本発明実施例の簡略図であり、図の１は灯油を計量するためのタンクで、そこに量を表す数字２と線３があり、その左側に凸部４があり、それが嵌る凹部５が図のように縦方向にあり、計量タンク１の底部から、管６が設けられ、図では省略したが、管６はゴムホースのようなものであれば、柔軟に曲がり、そこに取付けられた凸部４を上下することで管６も上下し、管はコイル状であれば上下がたやすくなる。その管６の図では下方に実線で示したバルブ７が設けられ、さらに先の方がポリタンクなどに注入する注入管となっており、管６の曲がっている部分に空気管８がつながれ、その空気管８は計量タンク１の上方に延びていおり、上方より空気を取り入れるようになっている。従って空気管８も上下するので、コイル状にすれば上下しやすくなる。
【０００８】
次にこの軽量タンクを説明すると、注入口１１から灯油を計量タンクの上部まで入れるが、図に示したものでは２０リッター入る。１リッターごとに数字２で示されているが、もっと細かく表示すればなおよく、そこに線３も設けられ、図では凸部４を凹部５の１０リッターのところに嵌め入れて管６の曲がり部分の高さが固定され、このようにして実線で示したバルブ７を開ければ、注入管９から灯油が出るが、空気管８が管６の曲り部分に取付けられているため、管６の中にも空気が入り、計量タンク１の上部から、管６の曲り部分の高さまでの灯油を注入すると、灯油の液面の高さはそれ以上下がることはなく、１０リッターの灯油を注入することができることとなる。従って、管６の曲り部分の高さを変えることで、決められた量の灯油を注入すればそれ以上の灯油は出てこず、ホームタンクを空にするまで灯油が出続けることはない。最後にバルブ７を閉じれば、ポリタンクなどへの移し替えを終了する。
【０００９】
ここで示した計量タンクは２０リッターであるが、大きくすれば計量タンク自体ホームタンクとなる。計量タンクに灯油を注入すると、空気管８にも灯油が入るため、図２でそれを防止することの説明をすると、図２の左図の計量タンク１と空気管８の取付け部分に、図に示すようにボール１１を設け、下側にボールの抜け止め１２を設け、ボール１１が出てゆかぬようにし、ボール１１は灯油より軽いため、灯油に浮き、図のように上部の空気管８を塞ぎ、灯油が空気管８に入らぬこととなる。管６と空気管８の取付け部分も、右図のように同じようにすれば、管６から空気管８に灯油が入らぬこととなる。また、灯油の液面が水平になることを利用して注入が止まるようにしたが、他にもいろいろな方法が考えられるので、注入を止める方法はなんでもよく、決められた量の灯油が出たら自動的に止まればよいものであり、また、バルブ７を点線で示した位置にすれば、計量はより正確になる。
【００１０】
図３では、計量タンクをホームタンクの下部に取付けたものの簡略図であり、どのようにするかを図４で説明すると、計量タンクの注入口は下方に設け、ホームタンク１３とつながれ、バルブ７Ａが設けられており、図示しないが、当然空気管８も計量タンクに取付けられており、ホームタンクと一体化した場合は、空気管８はホームタンク１３の内部を通すことができる。このようにした場合、バルブ７と７Ａは連動しており、バルブ７が開の場合バルブ７Ａは閉となり、計量タンク１に灯油は入らなくなり、計量タンク１から適当な灯油の量をポリタンクなどに移し替えることだでき、バルブ７を閉じるとバルブ７Ａが開き、計量タンク１に灯油が入り、満タンにすることができ、次に移し替えるための準備が完了する。このようにすることで、灯油がいつまでも出続けることなく、決められた量でかならず止まり、灯油のホームタンクを空にする危険を防ぐことができる。また、灯油を移し替えて計量タンクが空になり、すぐに移し替える場合、次の移し替えに計量タンクが満タンになるのをまたなけれなならないが、計量タンクを２つにし、片方を移し替えているとき、もう片方が満タンになるようにすれば、次々と移し替えができ、移し替えを止めているとき、両方の計量タンクが満タンになるようにすればよい。
【００１１】
図１を見ると、計量タンクの灯油の量を、直接外側から見えるように、数字２や線３の部分を透明なものにし、内部の灯油が見えればさらに使いやすく、特に計量タンク自体をホームタンクとした場合、つまりホームタンク自体が計量タンクの場合、特に縦長とすれば、計量がしやすく、その場合、図１の計量タンクが大きなホームタンクとすれば、図では１０リッターの灯油を移し替え、１０の目盛のところに灯油の高さがあり、目盛部分が透明なら、中の灯油の高さも見えるので、目盛の０を灯油の高さの合わせ、但し図では目盛０はないが、目盛１の上のラインを灯油の高さに合わせ、その場合、凹部５も同時に上下させ、必要な量のところに凸部４を持ってくれば、必要な量を移し替えるのがとてもわかりやすく、さらに、現在のポリタンクは、大きいもので２０や１８リッターが多く出回っており、図示しないが、１０リッタータンクを１つ、５リッタータンクを１つ、１リッタータンクを５つ、これを組み合わせれば、全部で２０リッターとなり、１リッターから２０リッターまで、１リッターきざみで灯油を出すことができ、ホースを上下させる必要はなくなるが、ホースを上下させることとの組み合わせでも良いものである。
【図面の簡単な説明】
【００１２】
【図１】計量タンク説明図
【図２】灯油が空気管に入らぬようにした図
【図３】ホームタンクと計量タンクを一体化した簡略図
【図４】計量タンク説明図
【符号の説明】
【００１３】
１    計量タンク
２    数字
３    目盛
４    凸部
５    凹部
６    管
７    バルブ
８    空気管
９    注入管
１０  液面
１１  ボール
１２  抜け止め
１３  ホームタンク
【図１】
2006103770.tif 000003
【図２】
2006103770.tif 000004
【図３】
2006103770.tif 000005
【図４】
2006103770.tif 000006